【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
ユーザを識別するためのユーザ識別情報を記憶する第１の記憶手段を備える情報処理装置と、読取対象物を識別するための読取対象物識別情報と前記ユーザ識別情報とを含む認証情報を記憶する第２の記憶手段を備える複数の画像形成装置とを含む情報処理システムであって、
前記情報処理装置は、
ユーザからの指示に応じて、前記第１の記憶手段に記憶されたユーザ識別情報を前記複数の画像形成装置に対して一括で送信する送信手段
を備え、
前記複数の画像形成装置のそれぞれは、
前記情報処理装置から送信されたユーザ識別情報を受信する受信手段と、
前記受信手段で受信したユーザ識別情報を前記第２の記憶手段に登録する第１の登録手段と、
前記第１の記憶手段に記憶されたユーザ識別情報の入力を受け付ける入力受付手段と、
前記読取対象物を読み取ることにより、前記読取対象物識別情報を取得する取得手段と、
前記入力受付手段で入力を受け付けたユーザ識別情報が前記第１の登録手段によって前記第２の記憶手段に登録されている場合に、前記取得手段で取得した読取対象物識別情報と当該ユーザ識別情報とを含む認証情報を前記第２の記憶手段に登録する第２の登録手段と、
前記第２の登録手段で前記第２の記憶手段に登録された認証情報のうち、前記取得手段で取得した読取対象物識別情報を含む認証情報を用いて、ユーザ認証を行う認証手段と
を備えることを特徴とする情報処理システム。
【請求項２】
前記情報処理装置は、
前記複数の画像形成装置のうち、前記第１の記憶手段に記憶されたユーザ識別情報を送信する画像形成装置の選択を受け付ける選択受付手段を更に備え、
前記送信手段は、ユーザからの指示に応じて、前記第１の記憶手段に記憶されたユーザ識別情報を前記選択受付手段で選択を受け付けた画像形成装置に対して送信することを特徴とする請求項１に記載の情報処理システム。
【請求項３】
前記情報処理装置は、
前記情報処理装置から印刷データを送信可能な複数の画像形成装置を特定する特定手段を更に備え、
前記送信手段は、ユーザからの指示に応じて、前記第１の記憶手段に記憶されたユーザ識別情報を前記特定手段で特定した複数の画像形成装置に対して一括で送信することを特徴とする請求項１または２に記載の情報処理システム。
【請求項４】
前記特定手段は、前記情報処理装置が備えるプリンタドライバを用いて、当該情報処理装置から印刷データを送信可能な複数の画像形成装置を特定することを特徴とする請求項３に記載の情報処理システム。
【請求項５】
前記第２の登録手段は、前記入力受付手段で入力を受け付けたユーザ識別情報が前記第２の記憶手段に記憶されたいずれかの認証情報に含まれる場合に、当該ユーザ識別情報を含む認証情報を、前記取得手段で取得した読取対象物識別情報と当該ユーザ識別情報とを含む認証情報で上書きして登録することを特徴とする請求項１乃至４のいずれか１項に記載の情報処理システム。
【請求項６】
前記複数の画像形成装置のそれぞれは、
前記第１の登録手段で前記第２の記憶手段に登録したユーザ識別情報を所定のタイミングで削除する削除手段を更に備えることを特徴とする請求項１乃至５のいずれか１項に記載の情報処理システム。
【請求項７】
ユーザを識別するためのユーザ識別情報を記憶する第１の記憶手段を備える情報処理装置と、読取対象物を識別するための読取対象物識別情報と前記ユーザ識別情報とを含む認証情報を記憶する第２の記憶手段を備える複数の画像形成装置とを含む情報処理システムの制御方法であって、
前記情報処理装置の送信手段が、ユーザからの指示に応じて、前記第１の記憶手段に記憶されたユーザ識別情報を前記複数の画像形成装置に対して一括で送信する送信ステップと、
前記複数の画像形成装置のそれぞれの受信手段が、前記情報処理装置から送信されたユーザ識別情報を受信する受信ステップと、
前記複数の画像形成装置のそれぞれの第１の登録手段が、前記受信ステップで受信したユーザ識別情報を前記第２の記憶手段に登録する第１の登録ステップと、
前記複数の画像形成装置のそれぞれの入力受付手段が、前記第１の記憶手段に記憶されたユーザ識別情報の入力を受け付ける入力受付ステップと、
前記複数の画像形成装置のそれぞれの取得手段が、前記読取対象物を読み取ることにより、前記読取対象物識別情報を取得する取得ステップと、
前記複数の画像形成装置のそれぞれの第２の登録手段が、前記入力受付ステップで入力を受け付けたユーザ識別情報が前記第１の登録ステップによって前記第２の記憶手段に登録されている場合に、前記取得ステップで取得した読取対象物識別情報と当該ユーザ識別情報とを含む認証情報を前記第２の記憶手段に登録する第２の登録ステップと、
前記複数の画像形成装置のそれぞれの認証手段が、前記第２の登録ステップで前記第２の記憶手段に登録された認証情報のうち、前記取得ステップで取得した読取対象物識別情報を含む認証情報を用いて、ユーザ認証を行う認証ステップと
を備えることを特徴とする情報処理システムの制御方法。
【請求項８】
ユーザを識別するためのユーザ識別情報を記憶する第１の記憶手段を備える情報処理装置と、読取対象物を識別するための読取対象物識別情報と前記ユーザ識別情報とを含む認証情報を記憶する第２の記憶手段を備える複数の画像形成装置とを含む情報処理システムにおいて実行可能なプログラムであって、
前記情報処理装置を、
ユーザからの指示に応じて、前記第１の記憶手段に記憶されたユーザ識別情報を前記複数の画像形成装置に対して一括で送信する送信手段
として機能させ、
前記複数の画像形成装置のそれぞれを、
前記情報処理装置から送信されたユーザ識別情報を受信する受信手段と、
前記受信手段で受信したユーザ識別情報を前記第２の記憶手段に登録する第１の登録手段と、
前記第１の記憶手段に記憶されたユーザ識別情報の入力を受け付ける入力受付手段と、
前記読取対象物を読み取ることにより、前記読取対象物識別情報を取得する取得手段と、
前記入力受付手段で入力を受け付けたユーザ識別情報が前記第１の登録手段によって前記第２の記憶手段に登録されている場合に、前記取得手段で取得した読取対象物識別情報と当該ユーザ識別情報とを含む認証情報を前記第２の記憶手段に登録する第２の登録手段と、
前記第２の登録手段で前記第２の記憶手段に登録された認証情報のうち、前記取得手段で取得した読取対象物識別情報を含む認証情報を用いて、ユーザ認証を行う認証手段
として機能させることを特徴とするプログラム。
【手続補正２】
【補正対象書類名】明細書
【補正対象項目名】発明の名称
【補正方法】変更
【補正の内容】
【発明の名称】情報処理システム、その制御方法、及びプログラム
【手続補正３】
【補正対象書類名】明細書
【補正対象項目名】００１０
【補正方法】変更
【補正の内容】
【００１０】
そこで本発明は、ユーザの手間をかけることなく、複数の画像形成装置にユーザ認証で用いる認証情報を登録することの可能な仕組みを提供することを目的とする。
【手続補正４】
【補正対象書類名】明細書
【補正対象項目名】００１１
【補正方法】変更
【補正の内容】
【００１１】
上記の目的を達成するために、本発明の情報処理システムは、ユーザを識別するためのユーザ識別情報を記憶する第１の記憶手段を備える情報処理装置と、読取対象物を識別するための読取対象物識別情報と前記ユーザ識別情報とを含む認証情報を記憶する第２の記憶手段を備える複数の画像形成装置とを含む情報処理システムであって、前記情報処理装置は、ユーザからの指示に応じて、前記第１の記憶手段に記憶されたユーザ識別情報を前記複数の画像形成装置に対して一括で送信する送信手段を備え、前記複数の画像形成装置のそれぞれは、前記情報処理装置から送信されたユーザ識別情報を受信する受信手段と、前記受信手段で受信したユーザ識別情報を前記第２の記憶手段に登録する第１の登録手段と、前記第１の記憶手段に記憶されたユーザ識別情報の入力を受け付ける入力受付手段と、前記読取対象物を読み取ることにより、前記読取対象物識別情報を取得する取得手段と、前記入力受付手段で入力を受け付けたユーザ識別情報が前記第１の登録手段によって前記第２の記憶手段に登録されている場合に、前記取得手段で取得した読取対象物識別情報と当該ユーザ識別情報とを含む認証情報を前記第２の記憶手段に登録する第２の登録手段と、前記第２の登録手段で前記第２の記憶手段に登録された認証情報のうち、前記取得手段で取得した読取対象物識別情報を含む認証情報を用いて、ユーザ認証を行う認証手段とを備えることを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
本発明によれば、ユーザの手間をかけることなく、複数の画像形成装置にユーザ認証で用いる認証情報を登録することが可能となる。